(57)【特許請求の範囲】
【請求項１】
床面（４）から立ち上がる壁面（３）の下端部に配置される幅木（１）を備えてなる幅木ユニットであって、
上記幅木（１）の表面を、上記壁面（３）側に位置する上端部側から上記床面（４）側に位置する下端部側に向けて下降傾斜させると共に、
上記幅木（１）の端部の断面形状を、該幅木（１）の延設方向内側から外端に向かって、平面状又は凹曲面状に傾斜する断面形状から、二つの平面が直交する断面形状に連続的に変化させたことを特徴とする幅木ユニット。
【請求項２】
床面（４）から立ち上がる壁面（３）の下端部に配置される幅木（１）を備えてなる幅木ユニットであって、
上記幅木（１）の表面を、上記壁面（３）側に位置する上端部側から上記床面（４）側に位置する下端部側に向けて下降傾斜する平面又は凹曲面とすると共に、
上記幅木（１）の端部の断面形状を、該幅木（１）の延設方向内側から外端に向かって、平面状又は凹曲面状に傾斜する断面形状から、二つの平面が直交する断面形状に連続的に変化させたことを特徴とする幅木ユニット。
【発明の詳細な説明】
【０００２】
【発明の属する技術分野】
【０００３】
本願発明は、壁面に沿ってその下端部に延設される幅木ユニットに関するものである。
【従来の技術】
【０００４】
一般に、建物の壁面には、該壁面の保護を主たる目的として、図７に示すように、床面４２から立ち上がる壁面４１の下端部に平帯板状の幅木４０を、その下端を上記床面４２に当接させた状態で、該壁面４１の面方向に沿って延設するのが通例である。
【発明が解決しようとする課題】
【０００５】
ところで、このように壁面４１の下端部に、床面４２に接した状態で幅木４０を取り付けた場合、該幅木４０と床面４２とによって壁面方向に延びる床側隅部４４が形成されるが、この床側隅部４４は、直角の断面形状をもつことから、ここには塵埃が溜まり易く、しかも、特に該床側隅部４４の稜線近傍には清掃具が十分に届きにくいこともあって、該床側隅部４４部分に塵埃がそのまま付着物４５として残留し易い。
【０００６】
ところが、このような床側隅部４４の付着物４５の存在は、美観上において好ましくないことは勿論のこと、雑菌の繁殖部となり室内の衛生環境を悪化させる一因となるものであって、特に生鮮食品を扱う工場等においては、衛生管理上、床側隅部４４への塵埃の堆積そのものを可及的に防止すること、及び、例え堆積したとしてもこれを容易に清掃除去できるようにすることが必要となる。
【０００７】
そこで本願発明は、壁面と床面とで形成される周縁隅部への塵埃の残留を未然に防止し得るようにした幅木ユニットを提供することを目的としてなされたものである。
【課題を解決するための手段】
【０００８】
本願発明ではかかる課題を解決するための具体的手段として次のような構成を採用している。
【０００９】
本願の第１の発明では、床面４から立ち上がる壁面３の下端部に配置される幅木（１）を備えてなる幅木ユニットにおいて、上記幅木１の表面を、上記壁面３側に位置する上端部側から上記床面４側に位置する下端部側に向けて下降傾斜させると共に、上記幅木１の端部の断面形状を、該幅木１の延設方向内側から外端に向かって、平面状又は凹曲面状に傾斜する断面形状から、二つの平面が直交する断面形状に連続的に変化させたことを特徴としている。
【００１０】
本願の第２の発明では、床面４から立ち上がる壁面３の下端部に配置される幅木（１）を備えてなる幅木ユニットにおいて、上記幅木１の表面を、上記壁面３側に位置する上端部側から上記床面４側に位置する下端部側に向けて下降傾斜する平面又は凹曲面とすると共に、上記幅木１の端部の断面形状を、該幅木１の延設方向内側から外端に向かって、平面状又は凹曲面状に傾斜する断面形状から、二つの平面が直交する断面形状に連続的に変化させたことを特徴としている。
【発明の効果】
【００１１】
本願発明ではかかる構成とすることにより次のような効果が得られる。
【００１２】
（１）  本願の第１の発明にかかる幅木ユニットによれば、床面４から立ち上がる壁面３の下端部に該床面４に沿うように幅木１を延設してなる幅木ユニットにおいて、上記幅木１の表面を、上記壁面３側に位置する上端部側から上記床面４側に位置する下端部側に向けて下降傾斜させているので、上記幅木１の上端部においては該幅木１の表面と上記壁面３とが鈍角をもって連続し、また幅木１の下端部においては該幅木１の表面と上記床面４とが鈍角をもって連続することになる。
【００１３】
従って、上記幅木１の上下両端側でそれぞれ隅部を形成する二面の夾角が大きい分だけ、ここへの塵埃の付着堆積が可及的に防止される。また、例えここに塵埃が付着したとしても清掃具によってこれを容易に且つ確実に除去することができる。これらの結果、上記幅木１によって、壁面３と床面４とで形成される周縁隅部８への塵埃等の付着残留が防止され、室内の衛生環境が良好に維持されるとともに、美観性も向上することになる。
【００１４】
尚、上記幅木１によって上記壁面３の下端部の保護が図られること、即ち、該幅木１の本来的な機能が確保されることは勿論である。
【００１５】
また、この発明では、上記幅木１の端部の断面形状を、該幅木１の延設方向内側から外端に向かって、平面状又は凹曲面状に傾斜する断面形状から、二つの平面が直交する断面形状に連続的に変化させているので、該幅木１の外端においては該幅木１が上記壁面３及び床面４と略面一となり、該幅木１が上記壁面３から床面４側に突出した状態で設置されるにも拘わらず、該幅木１の端部においてはこれが歩行等の障害となることがなく、使用上の安全性が確保されることになる。
【００１６】
（２）  本願の第２の発明にかかる幅木ユニットによれば、床面４から立ち上がる壁面３の下端部に該床面４に沿うように幅木１を延設してなる幅木ユニットにおいて、上記幅木１の表面を、上記壁面３側に位置する上端部側から上記床面４側に位置する下端部側に向けて下降傾斜させているので、上記幅木１の上端部においては該幅木１の表面と上記壁面３とが鈍角をもって連続し、また幅木１の下端部においては該幅木１の表面と上記床面４とが鈍角をもって連続することになる。
【００１７】
従って、上記幅木１の上下両端側でそれぞれ隅部を形成する二面の夾角が大きい分だけ、ここへの塵埃の付着堆積が可及的に防止される。また、例えここに塵埃が付着したとしても清掃具によってこれを容易に且つ確実に除去することができる。これらの結果、上記幅木１によって、壁面３と床面４とで形成される周縁隅部８への塵埃等の付着残留が防止され、室内の衛生環境が良好に維持されるとともに、美観性も向上することになる。
【００１８】
尚、上記幅木１によって上記壁面３の下端部の保護が図られること、即ち、該幅木１の本来的な機能が確保されることは勿論である。
【００１９】
また、この発明では、上記幅木１の表面を、平面又は凹曲面としているので、例えば幅木１の表面を平面とした場合にはその製作の容易性によって低コスト化が図られ、また上記幅木１の表面を凹曲面とした場合には美観性の向上が図られることになる。
【００２０】
さらに、この発明では、上記幅木１の端部の断面形状を、該幅木１の延設方向内側から外端に向かって、平面状又は凹曲面状に傾斜する断面形状から、二つの平面が直交する断面形状に連続的に変化させているので、該幅木１の外端においては該幅木１が上記壁面３及び床面４と略面一となり、該幅木１が上記壁面３から床面４側に突出した状態で設置されるにも拘わらず、該幅木１の端部においてはこれが歩行等の障害となることがなく、使用上の安全性が確保されることになる。
【発明の実施の形態】
【００２１】
以下、本願発明を好適な実施形態に基づいて具体的に説明する。
【００２２】
Ａ：第１の実施形態
図１には、本願発明の第１の実施形態にかかる幅木ユニットＺ１を示している。この幅木ユニットＺ１は、次述の幅木１を備えて構成されるものであり、ここでは入隅部６と出隅部７とをもって段違い状に屈曲した壁面３に沿ってそれらの下端部に後付けで設置されるものを一例として示している。
【００２３】
上記幅木１は、その表面１ａを、該幅木１の上端部１ｂから下端部１ｃにかけて凹状に湾曲する凹曲面とするとともに該上端部１ｂから下端部１ｃに向けて下降傾斜するように斜めに設置されることを基本形態とするものである。そして、この実施形態では、上記幅木１を、図２に示すように、その延設方向に分断された複数の幅木体、即ち、長寸の直状形態をもつ直状幅木体１１と、短寸の直状形態をもつ直状幅木体１２と、凹曲形態をもつ入隅用幅木体１３と凸曲形態をもつ出隅用幅木体１４と、断面形状を連続的に変化させた端部用幅木体１５を、壁面３の屈曲形態に対応させて選択し且つこれらを順次接続することで構成している。
【００２４】
以下、これら各幅木体の構造等をそれぞれ説明し、しかる後、これら各幅木体で構成される幅木ユニットＺ１の作用効果等について説明する。
【００２５】
ａ：直状幅木体１１の構造等
上記直状幅木体１１は、図２及び図３に示すように、長矩形のステンレス板材をその短軸方向に湾曲形成するとともに、その上端部１１ｂはこれを裏面側に向けて略Ｕ字状に屈曲させて掛止部１８とする一方、その下端部１ｃはこれを裏面側に折り曲げてその間に微小の内側隙間をもつ接地部１９としている。また、この直状幅木体１１の裏面側には、次述する支持材１７が、所定ピッチで取り付けられている。
【００２６】
尚、上記直状幅木体１１においては、上記掛止部１８の内側隙間と上記接地部１９の内側隙間は、ともに該直状幅木体１１の両端面上に開口しており、これら各内側隙間は、例えば後述の入隅用幅木体１３に設けられる継手片２３の挿入部として機能する。
【００２７】
上記支持材１７は、図２及び図３に示すように、所定長さのステンレス帯板を上記直状幅木体１１の湾曲形状に合致するように湾曲させるとともに、その湾曲部１７ａの下端に連続する下端部１７ｂはこれを裏面側へ折曲させるとともに、さらにその先端部を鋭角状に折り返し、これを略Ｌ字状の断面形状をもつ掛止片部２２としている。そして、このように形成された上記支持材１７は、その湾曲部１７ａを接着又は溶着によって上記直状幅木体１１の裏面側に接合することで該直状幅木体１１と一体化されている。
【００２８】
一方、上記直状幅木体１１を上記支持材１７を介して上記壁面３側に固定するために、該壁面３側には次述のブラケット１６が取り付けられている。このブラケット１６は、ステンレス帯板を、長尺部１６ａと短尺部１６ｂを有する如く略Ｌ字状に折曲させるとともに、該長尺部１６ａの先端１６ｃをさらに略Ｌ字状に折曲してこれを受部２０としている。また、上記短尺部１６ｂには、一側が開口した略「コ」字状の断面形状を有するとともにその上下両内面をそれぞれノコ歯状に形成した受部材２１が、その開口側を前方へ向けた状態で固定されている。そして、このブラケット１６は、上記長尺部１６ａを上記壁面３に衝合させるとともにその短尺部１６ｂの先端を上記床面４に衝合させた状態で、該長尺部１６ａを取付ネジ２５，２５によって上記壁面３側に締着固定することで該壁面３側に取り付けられている。
【００２９】
上記直状幅木体１１は、上記壁面３に固定された上記ブラケット１６に掛止されることで該壁面３側に支持される。即ち、図３に示すように、先ず、上記直状幅木体１１の掛止部１８を上記ブラケット１６の受部２０に上方から掛止する。次に、上記掛止部１８を中心に上記直状幅木体１１をブラケット１６側へ回動させて移動し、上記掛止片部２２を上記ブラケット１６側の上記受部材２１に弾圧挿入し、これを上記接地部１９が上記床面４に接地するまで押し込む。この場合、上記掛止片部２２は、上記受部材２１の内面のノコ歯部分に掛止されることで、該受部材２１からの抜け止めがなされ、上記直状幅木体１１は上記ブラケット１６を介して上記壁面３側に固定されることになる。この直状幅木体１１の取り付け後、該直状幅木体１１の上端部の掛止部１８と上記壁面３との隙間部分には充填材３０が充填される。
【００３０】
尚、上記壁面３側に設けられる上記各ブラケット１６，１６，・・は、上記直状幅木体１１側の上記各支持材１７，１７，・・の配置に合わせてその取付位置が予め設定されている。
【００３１】
また、短寸の上記直状幅木体１２は、その必要長さに対応するように、上記直状幅木体１１を適宜切断して得られるものであり、従ってその構造等は上記直状幅木体１１と同様であるので、ここでの説明は省略する。
【００３２】
ｂ：入隅用幅木体１３の構造等
上記入隅用幅木体１３は、上記壁面３の入隅部６に設置されるものであって、その基本構成は、これが直角に屈曲形成されている点を除いて、上記直状幅木体１１と同様である。従って、上記入隅用幅木体１３は、その表面１３ａは直角方向に屈曲して連続する凹曲面であり、また該入隅用幅木体１３の裏面側には支持材１７が取り付けられており、さらに該入隅用幅木体１３はその上端部に設けられる掛止部１８を上記ブラケット１６の受部２０に掛止するとともに上記支持材１７の掛止片部２２を上記ブラケット１６の受部材２１に挿入することで該壁面３側に固定されるものである。
【００３３】
但し、この入隅用幅木体１３に設けられる支持材１７は、その基本構成はこれを上記直状幅木体１１に設けられる上記支持材１７と同様とするものの、他の幅木体との接続の必要上、その側縁にはこれと一体的に継手片２３を、該入隅用幅木体１３から側方へ延出状態で設けている。従って、上記入隅用幅木体１３と上記直状幅木体１１，１２とを接続する場合には、上記継手片２３を上記直状幅木体１１，１２の端面に開口する上記内側隙間に挿入することで、これら両者は同軸状に且つ強固に連結されることになる。
【００３４】
ｃ：出隅用幅木体１４の構造等
上記出隅用幅木体１４は、上記壁面３の出隅部７に設置されるものであって、その基本構成は、これが直角に屈曲形成されている点と、上記支持材１７が設けられていない点、及びその両端にそれぞれ継手片２４を設けた点を除いて、上記直状幅木体１１と同様である。
【００３５】
従って、この出隅用幅木体１４は、その表面１４ａが直角方向に屈曲して連続する凹曲面であって、その両端にそれぞれ設けられた継手片２４，２４を、
その両側に連接される上記直状幅木体１２及び直状幅木体１１の端面側にそれぞれ挿入することで該各直状幅木体１１，１２に連結され、該各直状幅木体１１，１２を介して上記壁面３側に支持される。
【００３６】
ｄ：端部用幅木体１５の構造等
上記端部用幅木体１５は、図１及び図２に示すように、幅木ユニットＺ１の端部を形成するものであってステンレス板材を屈曲成形して構成されるが、その場合、該端部用幅木体１５の一端１５ａ側は凹曲面形状をもつ他の幅木体に接続されるものであって該他の幅木体と同様にその表面を凹曲面とする必要がある一方、その他端１５ｂ側はそのまま壁面３及び床面４側に露出するものであって歩行の障害等にならないようにする必要がある。このような観点から、この実施形態においては、該端部用幅木体１５の断面形状を、その一端１５ａ側では凹曲面形状とし、その他端１５ｂ側では直交する二面１５ｃ，１５ｄをもつＬ字形状とするとともに、上記一端１５ａ側から他端１５ｂ側にかけてその断面形状が凹曲面形状からＬ字形状に連続的に変化するように形成している。
【００３７】
また、この端部用幅木体１５の一端１５ａ側の裏面には上記各幅木体１１〜１３に設けたと同様構造の支持材１７が取り付けられるが、該端部用幅木体１５を他の幅木体に接続する必要上、上記支持材１７の端縁には継手片２３を一体的に形成し且つこれを側方へ延出させている。
【００３８】
ｅ：幅木ユニットＺ１の設置手順等
上述のようにそれぞれ構成された各幅木体１１〜１５を用いて幅木ユニットＺ１を設置するには、先ず、上記壁面３の所定位置に上記ブラケット１６を固定する。
【００３９】
次に、上記壁面３の入隅部６及び出隅部７には上記入隅用幅木体１３及び出隅用幅木体１４をそれぞれ用いるとともに、幅木ユニットＺ１の端部には上記端部用幅木体１５を用いるものとし、その上で、これら入隅用幅木体１３と出隅用幅木体１４と端部用幅木体１５の間にそれぞれ用いられる直状幅木体１１及び直状幅木体１２をその必要長さに対応するように切断して寸法調整を行う。
【００４０】
しかる後、これら各幅木体１１〜１５を、所定順序で順次接続して一連の幅木１を形成する。そして、この幅木１を上記壁面３側にセットし、これを上記各ブラケット１６，１６，・・に順次掛止して固定する。これで、図１に示すように一連の幅木１でなる幅木ユニットＺ１が上記壁面３に沿ってその下端部に延設される。
【００４１】
上記幅木ユニットＺ１が上記壁面３側に設置された状態では、上記幅木１のうち、上記端部用幅木体１５を除く上記各幅木体１１〜１４で構成される部分では、該各幅木体１１〜１４の表面を介して上記壁面３と床面４とが滑らかに連続し、従来の幅木１のような直角の角度をもった周縁隅部は生じない。
【００４２】
一方、上記端部用幅木体１５に対応する部分では、その他端１５ｂ側の直交する二面１５ｃ，１５ｄのうち、一方の面１５ｃは上記壁面３の端部に設置された柱５によってその露出が阻止される一方、他方の面１５ｄにおいてはこれが上記床面４に沿って設置され該床面４との段差は小さく、歩行等の障害とはならないようになっている。また、この端部用幅木体１５においてはその他端１５ｂ寄りに上記二面１５ｃ，１５ｄによって直角の隅部が形成されるものの、その範囲は幅木ユニットＺ１全体からして極めて小さく、ここへの塵埃等の堆積はほとんど問題とならないものであるとともに、例え堆積してもこれを容易に除去することができるものである。尚、壁面３の構造によっては、該壁面３の端部に上記柱５が設けられていない場合とか、壁面３の途中までしか幅木１を設けない場合等も有り得るが、かかる場合においても上記端部用幅木体１５の一方の面１５ａの壁面３からの突出量は小さいので、使用上の問題を生じることはない。
【００４３】
以上のように構成され且つ設置された幅木ユニットＺ１においては、上記幅木１の表面１ａがその上端部側から下端部側に向けて下降傾斜する凹曲面とされているので、上記幅木１によって上記壁面３と床面４との境界部に形成される直角の角度をもった周縁隅部８が覆われ、該幅木１の上端部においてはその表面１ａと上記壁面３とが鈍角をもって連続し、また該幅木１の下端部においてはその表面１ａと上記床面４とが鈍角をもって連続することになる。
【００４４】
従って、上記幅木１の上下両端側でそれぞれ隅部を形成する二面の夾角が大きい分だけ、ここへの塵埃の付着堆積が可及的に防止されるとともに、例えここに塵埃が付着したとしても清掃具によってこれを容易に且つ確実に除去することができる。これらの結果、上記幅木１によって、壁面３と床面４とで形成される周縁隅部８への塵埃等の付着残留が防止され、室内の衛生環境が良好に維持されるとともに、美観性も向上することになる。
【００４５】
さらに、この実施形態の幅木ユニットＺ１においては、上記幅木１の端部を上記端部用幅木体１５によって構成することで、該幅木１が壁面３から床面４側へ突出状態で設置される構成であるにも拘わらず、これが歩行等の障害とならないようにしているので、その使用上における高い安全性が確保されるものである。
【００４６】
Ｂ：第２の実施形態
図４には、本願発明の第２の実施形態にかかる幅木ユニットＺ２を示している。この幅木ユニットＺ２は、基本的には上記第１の実施形態の幅木ユニットＺ１と同様の構造をもつものであって、複数の幅木体１１〜１５で構成される幅木１を備え、上記第１の実施形態の幅木ユニットＺ１と同様の作用効果を奏し得るものであるが、その設置構造は上記第１の実施形態の幅木ユニットＺ１とは異なって、建物の建設時に先付け設置されるものである。このため、この実施形態の幅木ユニットＺ２においては、先付け設置に対応し得るように上記各幅木体１１〜１５等に特有の構造が採用されている。
【００４７】
即ち、図５に示すように、幅木ユニットＺ２の取付け対象となる建物は、コンクリートを荒打ちして得られる基礎部２７の基礎壁面２８と基礎床面２９とに、さらにモルタルの上塗り、あるいはモルタルを介在させてのタイル等の貼設によって、それぞれ上塗り部３１及び上塗り部３２を形成し、この上塗り部３１及び上塗り部３２の表面をそれぞれ最終的な壁面３及び床面４とするものである。
【００４８】
そして、上記基礎部２７の形成後、上記上塗り部３１，３２の形成前に、上記基礎壁面２８上に取付ボルト２６によって上記ブラケット１６を固定するとともに、このブラケット１６に対して上記幅木１（図５では上記直状幅木体１１を例として示している）を掛止固定する。しかる後、上記幅木１を除く部位に上記上塗り部３１及び上塗り部３２をそれぞれ形成し、該幅木１を壁面３及び床面４側に埋設状態で設置するものである。
【００４９】
このような幅木１の埋設設置の必要上、例えば上記直状幅木体１１においては、図５に示すように、該直状幅木体１１の上端部に設けられる掛止部１８と、下端部に設けられる上記接地部１９とを、それぞれ比較的長寸の略Ｌ字状に形成している。また、上記ブラケット１６においても、その上端部の受部２０を、上記直状幅木体１１の掛止部１８に対応し得るように比較的長寸に形成している。
【００５０】
このような特有の構造を、上記直状幅木体１１以外の幅木体、即ち、上記直状幅木体１２と入隅用幅木体１３と出隅用幅木体１４及び端部用幅木体１５にもそれぞれ適用することで、図４に示すように、これら各幅木体１１〜５を接続してなる幅木１が、上記壁面３に沿ってその下端部に延設されるものである。
【００５１】
このように構成され且つ設置された幅木１でなる幅木ユニットＺ２においても、上記第１の実施形態の幅木ユニットＺ１と同様に、上記壁面３と上記床面４とが上記幅木１の表面１ａによって傾斜状態で滑らかに連続されるとともに、上記壁面３と上記幅木１の上記掛止部１８との間の段差、及び上記床面４と上記幅木１の上記接地部１９との間の段差が可及的に小さくされることから、これらの相乗効果として、該幅木１部分への塵埃等の堆積が可及的に防止されるとともに、例え塵埃が堆積したとしてもこれを容易に且つ確実に除去することができ、結果的に該幅木１部分への塵埃の付着残留に起因する衛生環境の悪化及び美観性の低下がともに防止され、良好な衛生環境の確保と美観性の向上とが図れる。
【００５２】
Ｃ：第３の実施形態
図６には、本願発明の第３の実施形態にかかる幅木ユニットＺ３を示している。この幅木ユニットＺ３は、上記第１の実施形態の幅木ユニットＺ１がこれを構成する幅木１の表面形状を凹曲面形状としていたのに対して、これを平面形状としたものである。これ以外の構成は、全て第１の実施形態の幅木ユニットＺ１と同様であるので、第１の実施形態の該当説明を援用することでここでの説明は省略する。
【００５３】
この実施形態の幅木ユニットＺ３においても上記第１の実施形態の幅木ユニットＺ１と同様の作用効果が得られることは勿論であるが、これに加えて上記幅木１の表面形状を平面形状としたことで、これを凹曲面形状とする場合に比して、その製作が容易であり、それだけ低コスト化が促進されるという利点を有するものである。
【００５４】
Ｄ：その他
（１）  上記実施形態においては、上記各幅木体１１〜１５、上記ブラケット１６及び上記支持材１７をそれぞれステンレス材を用いて構成したが、これは幅木ユニットが腐食環境に設置されることを想定し、その腐食対策としてステンレス材を用いた例を示したものであり、本願発明はかかる構成に限定されるものではなく、これら各部材を他の金属材（例えばアルミ材、鋼材）とか樹脂材等を用いて構成することもできるものである。
【００５５】
尚、例えばアルミ材とか樹脂材等の軟質材を用いる場合には、幅木体と支持材とを一体的に構成し且つこれを引き抜き成形によって形成することができ、構造の簡略化あるいは低コスト化が図れることになる。
【００５６】
（２）  上記実施形態においては、上記支持材１７を小形の単品構成とし、これを上記各幅木体１１〜１５に対して適数個づつ取り付けるように構成しているが、本願発明はかかる構成に限定されるものではなく、例えば上記支持材１７を上記各幅木体直状幅木体１１〜１５の裏面全体に対応する大きさに形成することもできるものである。かかる構成とした場合には、上記ブラケット１６の取付け位置を任意に設定することができることから、幅木ユニットの設置作業の簡略化が図れるという利点がある。
【図面の簡単な説明】
【００５７】
【図１】本願発明の第１の実施形態にかかる幅木ユニットの設置状態を示す斜視図である。
【図２】図１に示した幅木ユニットの分解斜視図である。
【図３】図１のＩＩＩ−ＩＩＩ拡大断面図である。
【図４】本願発明の第２の実施形態にかかる幅木ユニットの設置状態を示す斜視図である。
【図５】図４のＶ−Ｖ拡大断面図である。
【図６】本願発明の第３の実施形態にかかる幅木ユニットの設置状態を示す斜視図である。
【図７】従来の幅木ユニットの構造説明図である。
【符号の説明】
【００５８】
１は幅木、３は壁面、４は床面、５は柱、６は入隅部、７は出隅部、８は周縁隅部、１１及び１２は直状幅木体、１３は入隅用幅木体、１４は出隅用幅木体、１５は端部用幅木体、１６はブラケット、１７は支持材、１８は掛止部、１９は接地部、２０は受部、２１は受部材、２２は掛止片部、２３及び２４は継手片、２５は取付ネジ、２６は取付ボルト、２７は基礎部、２８は基礎壁面、２９は基礎床面、３０は充填材、３１及び３２は上塗り部である。
【図１】
0003561699.tif 000002
【図２】
0003561699.tif 000003
【図３】
0003561699.tif 000004
【図４】
0003561699.tif 000005
【図５】
0003561699.tif 000006
【図６】
0003561699.tif 000007
【図７】
0003561699.tif 000008